(57)【要約】【課題】ユーザが作業工程を簡易に振返ることができる多層ワーク支援装置を提供する。【解決手段】多層ワーク支援装置１０は、ディスプレイ１４ａ〜１４ｃの画像を所定の時間毎に保存して、作業を記憶する。多層ワーク支援装置１０は、情報アクセス装置１６の取込ボタン５２が押下されることにより画像の保存処理を開始し、停止ボタン５４が押下されることにより保存処理を停止する。多層ワーク支援装置１０は、表示ボタン５６が押下されることにより、保存されている作業の一覧を表示する。いずれかの作業がユーザにより選択されると、多層ワーク支援装置１０は、当該選択された作業の再生処理を行う。再生処理は、選択された作業について、保存されている複数の画像を所定の時間毎にディスプレイ１４に表示する処理である。【選択図】図７
2007141027.tif 000002
【特許請求の範囲】
【請求項１】
複数のディスプレイと、
前記複数のディスプレイに表示される画像を記憶する画像記憶手段と、
前記複数のディスプレイの少なくともいずれかに表示されている画像を、所定の契機で前記画像記憶手段に保存する保存手段と
を有する多層ワーク支援装置。
【請求項２】
画像の保存開始を指定する保存開始ボタンをさらに有し、
前記保存手段は、前記保存開始ボタンが押下されてから、画像の保存を開始する
請求項１に記載の多層ワーク支援装置。
【請求項３】
前記保存手段は、前記複数のディスプレイのそれぞれに表示されている画像を保存する
請求項１又は２に記載の多層ワーク支援装置。
【請求項４】
前記保存手段は、前記ディスプレイ全体の画像を保存する
請求項１又は２に記載の多層ワーク支援装置。
【請求項５】
複数のディスプレイと、
前記複数のディスプレイに表示される画像を記憶する画像記憶手段と、
前記画像記憶手段に記憶されている複数の画像を、所定の契機で前記複数のディスプレイの少なくともいずれかに表示する表示手段と
を有する多層ワーク支援装置。
【請求項６】
画像の再生開始を指定する再生開始ボタンをさらに有し、
前記表示手段は、前記再生開始ボタンが押下されてから、画像の表示を開始する
請求項５に記載の多層ワーク支援装置。
【請求項７】
前記画像記憶手段に記憶されている画像のいずれかを指定する指定ボタンをさらに有し、
前記表示手段は、前記指定ボタンにより指定された画像の表示を開始する
請求項５又は６に記載の多層ワーク支援装置。
【請求項８】
複数のディスプレイと、
前記複数のディスプレイに表示される画像を記憶する画像記憶手段と、
前記複数のディスプレイの少なくともいずれかに表示されている画像を、所定の契機で前記画像記憶手段に保存する保存手段と
前記保存手段により保存され、前記画像記憶手段に記憶されている複数の画像を、所定の契機で前記複数のディスプレイの少なくともいずれかに表示する表示手段と
を有する多層ワーク支援装置。
【請求項９】
複数のディスプレイと、前記複数のディスプレイに表示される画像を記憶する画像記憶手段とを有する多層ワーク支援装置において、
前記複数のディスプレイの少なくともいずれかに表示されている画像を、所定の契機で前記画像記憶手段に保存する
多層ワーク支援装置の画像保存方法。
【請求項１０】
複数のディスプレイと、前記複数のディスプレイに表示される画像を記憶する画像記憶手段とを有する多層ワーク支援装置において、
前記画像記憶手段に記憶されている複数の画像を、所定の契機で前記複数のディスプレイの少なくともいずれかに表示する
多層ワーク支援装置の画像表示方法。
【請求項１１】
複数のディスプレイと、前記複数のディスプレイに表示される画像を記憶する画像記憶手段とを有する多層ワーク支援装置において、
前記複数のディスプレイの少なくともいずれかに表示されている画像を、所定の契機で前記画像記憶手段に保存し、
前記保存された画像であって、前記画像記憶手段に記憶されている複数の画像を、所定の契機で前記複数のディスプレイの少なくともいずれかに表示する
多層ワーク支援装置の画像表示方法。
【請求項１２】
コンピュータと、複数のディスプレイと、前記複数のディスプレイに表示される画像を記憶する画像記憶手段とを有する多層ワーク支援装置において、
前記複数のディスプレイの少なくともいずれかに表示されている画像を、所定の契機で前記画像記憶手段に保存する保存ステップ
を前記多層ワーク支援装置のコンピュータに実行させるプログラム。
【請求項１３】
コンピュータと、複数のディスプレイと、前記複数のディスプレイに表示される画像を記憶する画像記憶手段とを有する多層ワーク支援装置において、
前記画像記憶手段に記憶されている複数の画像を、所定の契機で前記複数のディスプレイの少なくともいずれかに表示する表示ステップ
を前記多層ワーク支援装置のコンピュータに実行させるプログラム。
【請求項１４】
コンピュータと、複数のディスプレイと、前記複数のディスプレイに表示される画像を記憶する画像記憶手段とを有する多層ワーク支援装置において、
前記複数のディスプレイの少なくともいずれかに表示されている画像を、所定の契機で前記画像記憶手段に保存する保存ステップと、
前記保存された画像であって、前記画像記憶手段に記憶されている複数の画像を、所定の契機で前記複数のディスプレイの少なくともいずれかに表示する表示ステップと
を前記多層ワーク支援装置のコンピュータに実行させるプログラム。
【発明の詳細な説明】
【技術分野】
【０００１】
本発明は、パーソナルコンピュータ、ディスプレイ、スピーカ等のコンピューティング環境を、複数、機能的に統合して、複雑多数のワークに効率よく取り組むためのコンピューティング環境を構築する技術に関する。
【背景技術】
【０００２】
ユーザは複数の画面（例えば３画面）を用いながら、複数の作業を並列で処理する場合がある。このような複数画面を用いた多重ワークにおいては、ユーザは作業の切替を行う場合、復帰後の作業へ迅速に適応することが必要である。このため、ユーザが前回の作業の状況を簡易にプレビューして、素早く想起することが望まれる。
【０００３】
従来、エディタにおけるリプレイ機能として、編集結果のみを時系列で表示することが知られている。
特許文献１においては、編集結果と同時に入力イベントに対する操作をコメントとして付加して表示する手法が開示されている。
また、特許文献２においては、部品オブジェクトに対して施した編集命令を操作手順の情報として持つ手法が開示されている。
一方、特許文献３においては、文書の構成要素間の関係などをもとにした自動的な階層構造を形成して表示することにより、操作の履歴について、その操作数の多さにより発生する繁雑さを解消する手法が開示されている。
【０００４】
【特許文献１】特開平５−０４６６１３号公報
【特許文献２】米国特許第５，４８５，５６８号
【特許文献３】特開平１０−２２２５０６号公報
【発明の開示】
【発明が解決しようとする課題】
【０００５】
しかしながら、特許文献１に開示された手法では、文書が複雑である場合、文書作成の操作履歴が膨大となり、操作者が必要とする部分を簡易にプレビューすることが困難である。
特許文献２に開示された手法では、必要な部分を簡易にプレビューするためには、関連する操作を一群として把握することが必要であり、例えば階層的な構造を形成しておく必要がある。当該手法では、操作者自身が、複数の部品オブジェクトを選択し階層化するための指示を行うことにより、階層的な構造を形成する必要があった。このような作業は、ユーザが複数のタスクを切り替えて多重ワークを行う場合、非常に大きな作業効率の低下を招く場合がある。
【０００６】
さらに、特許文献３に開示された手法では、Ｗｅｂページ閲覧、検索、各種ファイル形式の資料閲覧、表計算ソフトを利用した入力等、多岐にわたるタスクにおいて、作業者本人が、過去（数十分〜数時間前、あるいは前日〜数日前）に行った作業工程の全体像を振返り、そのタスクを再開するための工程を想起することは困難である。
また、特許文献１〜特許文献３に開示された手法では、他者がプレビューする場合に工程の理解を可能とするように、主眼は詳細な部分に関する再現におかれており、実行者が工程の全体像を簡易に振り返ることには適していない。
【０００７】
本発明は、上述した背景からなされたものであり、ユーザが作業工程を簡易に振返ることができる多層ワーク支援装置を提供することを目的とする。
【課題を解決するための手段】
【０００８】
上記目的を達成するために、本発明に係る第１の多層ワーク支援装置は、複数のディスプレイと、前記複数のディスプレイに表示される画像を記憶する画像記憶手段と、前記複数のディスプレイの少なくともいずれかに表示されている画像を、所定の契機で前記画像記憶手段に保存する保存手段とを有する。
【０００９】
好適には、画像の保存開始を指定する保存開始ボタンをさらに有し、前記保存手段は、前記保存開始ボタンが押下されてから、画像の保存を開始する。
好適には、前記保存手段は、前記複数のディスプレイのそれぞれに表示されている画像を保存する。
好適には、前記保存手段は、前記ディスプレイ全体の画像を保存する。
【００１０】
本発明に係る第２の多層ワーク支援装置は、複数のディスプレイと、前記複数のディスプレイに表示される画像を記憶する画像記憶手段と、前記画像記憶手段に記憶されている複数の画像を、所定の契機で前記複数のディスプレイの少なくともいずれかに表示する表示手段とを有する。
【００１１】
好適には、画像の再生開始を指定する再生開始ボタンをさらに有し、前記表示手段は、前記再生開始ボタンが押下されてから、画像の表示を開始する。
好適には、前記画像記憶手段に記憶されている画像のいずれかを指定する指定ボタンをさらに有し、前記表示手段は、前記指定ボタンにより指定された画像の表示を開始する。
【００１２】
また、本発明に係る第３の多層ワーク支援装置は、複数のディスプレイと、前記複数のディスプレイに表示される画像を記憶する画像記憶手段と、前記複数のディスプレイの少なくともいずれかに表示されている画像を、所定の契機で前記画像記憶手段に保存する保存手段と前記保存手段により保存され、前記画像記憶手段に記憶されている複数の画像を、所定の契機で前記複数のディスプレイの少なくともいずれかに表示する表示手段とを有する。
【００１３】
本発明に係る多層ワーク支援装置の画像保存方法は、複数のディスプレイと、前記複数のディスプレイに表示される画像を記憶する画像記憶手段とを有する多層ワーク支援装置において、前記複数のディスプレイの少なくともいずれかに表示されている画像を、所定の契機で前記画像記憶手段に保存する。
【００１４】
また、本発明に係る多層ワーク支援装置の第１の画像表示方法は、複数のディスプレイと、前記複数のディスプレイに表示される画像を記憶する画像記憶手段とを有する多層ワーク支援装置において、前記画像記憶手段に記憶されている複数の画像を、所定の契機で前記複数のディスプレイの少なくともいずれかに表示する。
【００１５】
また、本発明に係る多層ワーク支援装置の第２の画像表示方法は、複数のディスプレイと、前記複数のディスプレイに表示される画像を記憶する画像記憶手段とを有する多層ワーク支援装置において、前記複数のディスプレイの少なくともいずれかに表示されている画像を、所定の契機で前記画像記憶手段に保存し、前記保存された画像であって、前記画像記憶手段に記憶されている複数の画像を、所定の契機で前記複数のディスプレイの少なくともいずれかに表示する。
【００１６】
本発明に係る第１のプログラムは、コンピュータと、複数のディスプレイと、前記複数のディスプレイに表示される画像を記憶する画像記憶手段とを有する多層ワーク支援装置において、前記複数のディスプレイの少なくともいずれかに表示されている画像を、所定の契機で前記画像記憶手段に保存する保存ステップを前記多層ワーク支援装置のコンピュータに実行させる。
【００１７】
また、本発明に係る第２のプログラムは、コンピュータと、複数のディスプレイと、前記複数のディスプレイに表示される画像を記憶する画像記憶手段とを有する多層ワーク支援装置において、前記画像記憶手段に記憶されている複数の画像を、所定の契機で前記複数のディスプレイの少なくともいずれかに表示する表示ステップを前記多層ワーク支援装置のコンピュータに実行させる。
【００１８】
さらに、本発明に係る第３のプログラムは、コンピュータと、複数のディスプレイと、前記複数のディスプレイに表示される画像を記憶する画像記憶手段とを有する多層ワーク支援装置において、前記複数のディスプレイの少なくともいずれかに表示されている画像を、所定の契機で前記画像記憶手段に保存する保存ステップと、前記保存された画像であって、前記画像記憶手段に記憶されている複数の画像を、所定の契機で前記複数のディスプレイの少なくともいずれかに表示する表示ステップとを前記多層ワーク支援装置のコンピュータに実行させる。
【発明の効果】
【００１９】
本発明に係る多層ワーク支援装置によれば、ユーザが作業工程を簡易に振返ることができる。
【発明を実施するための最良の形態】
【００２０】
図１は、本発明の実施形態に係る多層ワーク支援装置１０を示す図である。
図１に示すように、多層ワーク支援装置１０は、装置本体１２を中心として構成されており、装置本体１２を支える脚部４０、ディスプレイ１４ａ〜１４ｃ、これらのディスプレイ１４ａ〜１４ｃに表示する対象を指定するボタン群が配置された情報アクセス装置１６ａ，１６ｂ、及び入出力インターフェイス（ＩＦ）２２を有する。また、多層ワーク支援装置１０は、所定の音を出力するスピーカ（不図示）も有する。
なお、脚部４０は着脱可能であってもよく、装置本体１２がテーブル等に載置されて用いられてもよい。また、ディスプレイ１４ａ〜１４ｃなど、複数ある構成部分のいずれかを特定せずに示すときには、単にディスプレイ１４などと略記することがある。
【００２１】
ディスプレイ１４ａ〜１４ｃは、装置本体１２の正面に設けられており、横方向に配列されている。ディスプレイ１４ａ〜１４ｃは、例えば同一の画面サイズの液晶ディスプレイである。ディスプレイ１４は、後述する制御装置１００により制御されて、所定の情報を表示する。
なお、ディスプレイ１４は、仮想的なコンピュータのディスプレイであってもよい。また、ディスプレイ１４は、ＣＲＴ，ＰＤＰ等から構成されてもよく、それぞれが互いに異なる画面サイズであってもよい。
【００２２】
情報アクセス装置１６ａ，１６ｂは、ユーザに対してディスプレイ１４の手前であって、装置本体１２の左側及び右側の双方に設けられている。情報アクセス装置１６は、例えばタッチパネルからなり、制御装置１００により制御されて、所定の情報を表示し、さらに、ユーザからの入力を受け付けて制御装置１００に対して出力する。なお、情報アクセス装置１６は、装置本体１２の左側及び右側のいずれかに設けられてもよい。
【００２３】
情報アクセス装置１６には、複数のボタン１８が設けられており、ボタン群は、これらのボタン１８により構成される。ボタン１８には、表示対象あるいは演算の指定など、所定の動作が割り当てられており、情報アクセス装置１６は、ボタン１８が押下されることにより、ユーザから所望の指定を受け付ける。なお、ボタン１８が押下されたときの動作等は、後で詳述する。
【００２４】
情報アクセス装置１６ａ，１６ｂの間には、所定の物が載置される載置部２０が設けられており、この載置部２０の上面には、パーソナルコンピュータ（ＰＣ）等の入力装置２６が載置されてもよい。ここで、入力装置２６は、キーボード及びポインティングデバイスを含み、通信ケーブル２４を介して入出力ＩＦ２２と接続されて、多層ワーク支援装置１０の制御装置１００と、データを通信する。
ユーザは、このような多層ワーク支援装置１０を用いて、ネットワークを介して提供されるＷｅｂページ、記憶装置内に格納されているファイル等にアクセスして、多くの仕事を多層的に行う。
【００２５】
図２は、多層ワーク支援装置１０において用いられるコンピュータのハードウェア構成を示す図である。
図２に示すように、多層ワーク支援装置１０は、制御装置１００ａ〜１００ｅ、及び中継装置１１２を有し、制御装置１００ａ〜１００ｅのそれぞれは、ＣＰＵ１０４及びメモリ１０６を含む処理装置１０２、通信ＩＦ１０８、及び記憶装置１１０を有する。
【００２６】
制御装置１００において、通信ＩＦ１０８は、中継装置１１２を介して、他の制御装置１００、外部の入力装置２６、及びＬＡＮ，ＷＡＮ等のネットワーク２と、所定のデータを通信する。記憶装置１１０は、例えばＨＤＤ装置、ＣＤ装置あるいはＤＶＤ装置であり、データを記憶及び再生する。
このように、制御装置１００は、プログラムの実行による情報処理、及びネットワークを介して他の制御装置１００等との間の通信が可能なコンピュータとしての構成部分を有する。
【００２７】
中継装置１１２は、制御装置１００の間で送信及び受信されるデータを中継し、また、入力装置２６及びネットワーク２を介して接続される外部のコンピュータ（不図示）と、入出力ＩＦ２２を介して通信を行う。なお、この中継装置１１２は、サーバとして実現してもよく、また、制御装置１００がＰＣなどのネットワークアドレスを有する形で実現される場合には、複数の制御装置１００が、中継装置１１２を介さず、直接ＰｔｏＰ方式で接続されてもよい。
【００２８】
また、制御装置１００ａは、第１のディスプレイ１４ａに表示される情報を制御し、制御装置１００ｂは、第２のディスプレイ１４ｂに表示される情報を制御し、制御装置１００ｃは、第３のディスプレイ１４ｃに表示される情報を制御する。制御装置１００ｄは、第１の情報アクセス装置１６ａに表示される情報を制御し、第１の情報アクセス装置１６ａからの入力を受け付ける。同様に、制御装置１００ｅは、第２の情報アクセス装置１６ｂに表示される情報を制御し、第２の情報アクセス装置１６ｂからの入力を受け付ける。このように、ディスプレイ１４ａ〜１４ｃ及び情報アクセス装置１６ａ，１６ｂは、それぞれ異なる制御装置１００により制御される。なお、制御装置１００は、通常のＰＣで実現されてもよい。
【００２９】
さらに、制御装置１００ａは、第２のディスプレイ１４ｂ、第３のディスプレイ１４ｃ、及び情報アクセス装置１６ａ，１６ｂに対して、所定の情報を表示させる。この場合、制御装置１００ａは、例えば、制御装置１００ｂとデータを通信して、第２のディスプレイ１４ｂに情報を表示させる。また、制御装置１００ａは、情報アクセス装置１６ａ，１６ｂから入力されたデータを、制御装置１００ｄ，１００ｅを介して受け付ける。制御装置１００ｂ〜１００ｅもまた、同様にして、いずれのディスプレイ１４等に対しても情報を表示させ、いずれの情報アクセス装置１６からデータを受け付ける。
【００３０】
なお、いずれかの制御装置１００が、複数のディスプレイ１４及び情報アクセス装置１６を制御してもよいし、これらの全てを制御してもよい。また、１つの制御装置１００には、複数のＣＰＵ１０４及びメモリ１０６が含まれてもよい。
【００３１】
図３は、情報アクセス装置１６に表示されるボタン群と、ディスプレイ１４に表示されるウインドウ１４０−１，１４０−２を例示する図である。
図３に例示するように、ボタン群のボタン１８には、指定ボタン４２−１〜４２−ｍと、機能ボタンとが含まれ、機能ボタンには、速くボタン４４、遅くボタン４６、時間ボタン４８、抽出ボタン５０、取込ボタン５２、停止ボタン５４、表示ボタン５６及び振返ボタン５８が含まれる。また、指定ボタン４２は、情報アクセス装置１６ａ，１６ｂに表示され、取込ボタン５２等の機能ボタンは、情報アクセス装置１６ａの下部に表示され、指定ボタン４２及び機能ボタンは、押下可能な形及びサイズで表示される。なお、ボタン群を構成するこれらのボタンの数は、本例に限定されず、ボタンの配置も図３に示される配置に限定されない。
【００３２】
指定ボタン４２は、ディスプレイ１４に表示される対象（コンテンツ）を指定するボタンである。指定される対象には、Ｗｅｂページ、記憶装置１１０に保持されている電子ファイル、ネットワーク２を介して接続された他の電子機器に保持されている電子ファイル等が含まれる。また、指定ボタン４２のそれぞれには、これらの対象を指定する接続先が登録される。接続先は、当該ボタンが押下されたときにディスプレイ１４に表示される対象を示し、例えば、ＵＲＬ、ファイル等の対象が保存されている場所へのパス、ＩＰアドレス等が登録されている。
【００３３】
例えば、ユーザが指定ボタン４２−１を押下したり、マウスでクリックしたりすると、当該指定ボタン４２−１に登録されているＷｅｂページ（例えばウインドウ１４０−１）が、ディスプレイ１４ａ〜１４ｃの少なくともいずれかに表示される。
また、ユーザが、記憶されている電子ファイルを指定する指定ボタン４２を押下すると、所定のアプリケーションが起動されて、指定された電子ファイル（例えばウインドウ１４０−２）がいずれかのディスプレイ１４に表示される。電子ファイルは、例えば、文書作成ソフト、表計算ソフト、あるいはプレゼンテーションソフトにより用いられるファイルである。
このようにして、ユーザは、所望のＷｅｂページや電子ファイルをディスプレイ１４ａ〜１４ｃに表示させ、入力装置２６及び情報アクセス装置１６ａ，１６ｂを用いて作業を行う。
【００３４】
機能ボタンは、取込ボタン５２、停止ボタン５４等、所定の動作を指定するボタンの総称である。
取込ボタン５２は、ディスプレイ１４に表示される画像の取り込みを開始し、データとして保存するボタンである。取込ボタン５２が押下されることにより、画像は所定の契機で（例えば、所定の時間毎に）保存され、ユーザの作業内容が複数の画像として保存される。
停止ボタン５４は、取込ボタン５２が押下された開始された画像の取り込みを終了するボタンである。
【００３５】
表示ボタン５６は、保存されている複数の作業の一覧をディスプレイ１４に表示させるボタンである。ユーザは、表示ボタン５６を押下して表示された作業の一覧を確認した上で、いずれかの作業を選択して、当該作業の再生を開始させる。
振返ボタン５８は、実行中の作業であって、既に複数の画像が保存されている作業を再生するボタンである。
【００３６】
速くボタン４４は、作業の再生において、画像それぞれの表示時間を短くするボタンである。速くボタン４４が押下されると、作業は速く再生される。
遅くボタン４６は、作業の再生において、画像それぞれの表示時間を長くするボタンである。遅くボタン４４が押下されると、作業は遅く再生される。
時間ボタン４８は、画像の表示時間を設定するボタンである。
抽出ボタン５０は、作業を構成する複数の画像から、所定の間隔で画像を抽出して作業の再生を行うボタンである。
【００３７】
次に、本発明に係る多層ワーク支援装置１０の理解を容易にするために、本発明の概要を説明する。
多層ワーク支援装置１０は、複数のディスプレイ１４ａ〜１４ｃの少なくともいずれかに表示されている画像を、所定の契機で保存し、当該保存されている複数の画像を、所定の契機で複数のディスプレイ１４ａ〜１４ｃの少なくともいずれかに表示する。例えば、多層ワーク支援装置１０は、所定の時間毎に画像の保存及び表示を行う。
【００３８】
まず、多層ワーク支援装置１０による作業の保存について説明する。
作業の保存は、図３に示される取込ボタン５２が押下されることより開始され、停止ボタン５４が押下されることにより終了される。
図４は、多層ワーク支援装置１０における作業の保存方法を説明する図である。
図４に示すように、多層ワーク支援装置１０は所定の時間毎に画像を保存する。また、多層ワーク支援装置１０は、複数のディスプレイ１４ａ〜１４ｃのそれぞれにおいて画像を保存する。画像は、ディスプレイ１４に表示されている作業対象のウインドウ画像であってもよいし、ディスプレイ１４の全体画像であってもよい。
なお、多層ワーク支援装置１０による画像保存処理は、所定の時間毎（即ち、一定の間隔毎）ではなく、任意の契機で行われてよい。多層ワーク支援装置１０において、それぞれの保存間隔時間は異なってもよいし、画像保存処理は任意の操作あるいはアクション毎に行われてもよい。例えば、多層ワーク支援装置１０は、作業開始からの経過時間に基づいて、画像保存処理を行ってもよい。
【００３９】
作業は複数の画像として保存され、それぞれの画像は電子ファイルであって、保存された日時とともに管理される。画像の保存形式は特に限定されず、例えば、ビットマップ形式、ＧＩＦファイル形式等である。本例では、作業は、２００５年１０月７日１３時００分から１分毎にビットマップ形式の画像ファイルで保存される。
【００４０】
図５は、保存された複数の画像データの管理方法を説明する図である。
図５に示すように、複数の画像データは、作業ごとにまとめられて管理される。それぞれの作業には、作業を認識できる属性情報が付加される。属性情報は、作業名、作業開示時刻、作業終了時刻、画像データ保存場所等である。例えば、作業名は、「Ａ説明会資料作成」、「Ｂ技術調査検索」及び「Ｃデータ整理」である。属性情報は、ユーザにより直接入力されてもよいし、多層ワークにおいて作業内容（作業名、開示時刻等）が多層ワーク支援装置１０あるいは外部のスケジューラ（不図示）により管理されている場合には、スケジューラに登録されている作業内容が自動的に割り当てられてもよい。
【００４１】
作業の保存において、画像ファイルの保存間隔は、多層ワーク支援装置１０が保有する設定値に基づいて規定され、例えば、１分、５分又は１０分である。この保存間隔は、ユーザにより任意に設定されてよい。また、保存された作業の再生においても同様に、複数の設定値が規定されている。
図６は、多層ワーク支援装置１０が保有する設定値を例示する図である。
図６に例示するように、それぞれの設定は、取込間隔、プレビュー開始場所、表示時間、ステップ数の各項目を規定する。取込間隔は、画像ファイルが保存される間隔であって、例えば分単位で表される値である。プレビュー開始場所は、作業の再生において再生が開始される時間である。なお、プレビュー開始場所については、振返ボタン５８の説明とともに後で詳述する。
【００４２】
表示時間は、作業の再生において画像それぞれがディスプレイ１４に表示されている時間であって、例えば秒単位で表される値である。例えば、設定１では、それぞれの画像が１秒ずつディスプレイ１４に表示される。ステップ数は、保存されている複数の画像から画像が抽出される間隔である。例えば、設定３では、画像は、１枚目の画像、４枚目の画像、７枚目の画像のように、３枚毎に抽出されて表示される。
なお、設定される項目は本例に限定されず、他の項目を含んでもよい。
【００４３】
次に、保存されている作業の再生について説明する。
作業の再生は、表示ボタン５６が押下されることにより作業一覧が表示され、この作業一覧から作業が選択されて開始される。
図７は、表示ボタン５６が押下されて表示された作業一覧を例示する。
図７に例示するように、表示ボタン５６が押下されると、作業一覧ウインドウ１４２が、それぞれの作業の属性（日時、作業内容等）とともにディスプレイ１４に表示される。ここで、作業一覧ウインドウ１４２には、保存されている作業（図４及び図５）が含まれる。
【００４４】
ユーザがいずれかの作業を選択すると、選択された作業がディスプレイ１４において再生される。この再生処理は、選択された作業について、保存されている複数の画像を所定の時間毎にディスプレイ１４に表示する処理である。
なお、作業は、ユーザが、再生対象の作業の作業時間や作業名を入力装置２６又は情報アクセス装置１６を用いて入力することにより、選択されて再生されてもよい。
【００４５】
多層ワーク支援装置１０は、再生処理において、取り込まれて保存された画像データを順番に表示する。ここで、画像それぞれにつき表示される時間は、予め設定されている表示時間（図６）である。例えば、表示時間として１秒が設定されている場合、再生処理において、画像は１秒ごとに次の画像に切替えられる。
【００４６】
画像の表示時間は、再生処理の間に変更されてもよい。再生処理の間に、速くボタン４４が押下されると、表示時間が例えば１秒ずつ短くなる。また、再生処理の間に、遅くボタン４６が押下されると、表示時間が例えば１秒ずつ長くなる。
【００４７】
また、画像の表示時間は、ユーザにより任意に設定変更されてもよい。
図８は、時間ボタン４８が押下されて表示時間が設定変更される場合を説明する図である。
図８に示すように、時間ボタン４８が押下されると、表示時間を変更するためのウインドウがディスプレイ１４ａ〜１４ｃのいずれかに表示され、ユーザは、当該ウインドウにおいて数値を入力することで、例えば秒単位で表示時間を変更することができる。
【００４８】
さらに、複数の画像が取り込まれて保存されている状態で、全ての画像が連続して表示される必要がない場合、多層ワーク支援装置１０は、所定の間隔で画像を抽出して表示してもよい。この場合、ユーザが抽出ボタン５０を押下すると、多層ワーク支援装置１０は、予め設定されているステップ数（図６）を単位とする間隔で、保存されている画像を抽出してディスプレイ１４に再生する。
【００４９】
例えば、取込間隔が１分であって、ステップ数が３である場合、抽出ボタン５０が押下されると、多層ワーク支援装置１０は、３画面ごとに画像を抽出し、３分ごとの作業画像を表示する。これにより、ユーザが変化の少ない作業を振り返ったり、長時間前から作業を振り返ったりする場合、多層ワーク支援装置１０は、全画像を短時間表示で再生するより、効率よく再生処理を行うことができる。
【００５０】
なお、多層ワーク支援装置１０は、抽出ボタン５０が押下された場合、図８に示されるような設定ウインドウをディスプレイ１４に表示して、ステップ数に関するユーザからの入力を受け付けてもよい。この場合、多層ワーク支援装置１０は、ユーザにより入力された数値を単位として画像を抽出して表示する。
【００５１】
次に、振返ボタン５８による実行中の作業の再生について説明する。
ユーザは、例えば昼食や休憩で作業を中断した後に当該作業を再開する場合、休憩直前の作業をすぐに思い出せないことがある。このとき、ユーザが情報アクセス装置１６の振返ボタン５８を押下すると、多層ワーク支援装置１０は、取込ボタン５２が押下されて作業の取込が開始されている、現在実行中の作業の再生を行う。
【００５２】
このとき、再生開始場所は、予め設定されているプレビュー開始場所（図６）に基づいて決定される。例えば、プレビュー開始場所として１０分が設定されている場合、作業の再生は１０分前の画像から開始される。
【００５３】
次に、上述した多層ワーク支援装置１０の画像保存方法並びに画像表示方法を実現する再生プログラム２００について説明する。
図９は、多層ワーク支援装置１０の制御装置１００（図２）により実行される再生プログラム２００の構成を示す図である。
図９に示すように、再生プログラム２００は、ユーザインタフェース（ＵＩ）部２０２、通信部２０４、表示部２０６、情報記憶部２０８、再生制御部２１０、保存部２１２、画像記憶部２１４、設定値更新部２１６及び設定記憶部２１８を有する。再生プログラム２００は、これらの構成部分により、複数のディスプレイ１４ａ〜１４ｃの少なくともいずれかに表示されている画像を、所定の時間毎に画像記憶部２１４に保存する。また、再生プログラム２００は、画像記憶部２１４に記憶されている複数の画像を、所定の時間毎に複数のディスプレイ１４ａ〜１４ｃの少なくともいずれかに表示する。
【００５４】
再生プログラム２００は、例えば、ネットワーク２、通信ＩＦ１０８（図２）などを介して処理装置１０２に供給され、メモリ１０６にロードされて、さらに処理装置１０２で動作するＯＳ上で、ハードウェアを具体的に利用して実行される。また、再生プログラム２００は、全ての制御装置１００ａ〜１００ｅにおいて実行されてもよいし、いずれかの制御装置１００において実行されてもよい。
【００５５】
再生プログラム２００において、ＵＩ部２０２は、情報アクセス装置１６及び入力装置２６に対するユーザの操作を受け入れ、後述する構成部分に対して出力する。ここで、ユーザの操作には、ボタン１８の押下（マウスによるクリックも含む）などが含まれる。また、ＵＩ部２０２は、後述する表示部２０６により作成された情報（画像データ等）及び各構成部分の処理内容などを、ディスプレイ１４及び情報アクセス装置１６に表示する。
【００５６】
通信部２０４は、通信ＩＦ１０８を介してデータを入出力し、中継装置１１２を介した多層ワーク支援装置１０内のデータの送受信、及びネットワーク２を介した外部のコンピュータとのデータの送受信を制御する。また、通信部２０４は、伝送される情報・データの改ざん防止のための暗号化処理を行ってもよい。
【００５７】
情報記憶部２０８は、指定ボタン４２により指定される対象（Ｗｅｂページ等）の最新ファイル、文書作成ソフトウェアあるいは表計算ソフトウェアの電子ファイルなどを記憶する。また、情報記憶部２０８は、指定ボタン４２により指定される接続先（ＵＲＬ、ファイル等の対象が保存されている場所へのパス、ＩＰアドレス等）を記憶する。情報記憶部２０８は、記憶装置１１０（図２）及びメモリ１０６により実現される。
【００５８】
画像記憶部２１４は、複数のディスプレイ１４ａ〜１４ｃに表示される画像を記憶する。具体的には、画像記憶部２１４は作業ごとに複数の画像を記憶する（図５）。ここで、画像は所定のファイル形式で記憶され、複数の画像のそれぞれには、保存された日時が付与されている（図４）。また、画像記憶部２１４は、作業それぞれに付与された属性情報を記憶する。画像記憶部２１４もまた、記憶装置１１０等により実現される。
【００５９】
設定記憶部２１８は、多層ワーク支援装置１０における保存処理及び再生処理において用いられる設定値（図６）を記憶する。これらの設定値は、後述する再生制御部２１０並びに保存部２１２により参照され、設定値更新部２１６により登録及び更新される。設定記憶部２１８もまた、記憶装置１１０等により実現される。
【００６０】
保存部２１２は、複数のディスプレイ１４ａ〜１４ｃの少なくともいずれかに表示されている画像を所定の時間毎に画像記憶部２１４に保存する。また、保存部２１２は、ユーザが取込ボタン５２を押下して行う保存開始の指示をＵＩ部２０２を介して受け付けてから、画像の保存を開始する。このとき、保存部２１２は、設定記憶部２１８に記憶されている取込間隔を参照して、現在設定されている取込間隔毎に画像を保存する。また、保存部２１２は、ユーザが停止ボタン５４を押下して行う保存終了の指示をＵＩ部２０２を介して受け付けて、画像の保存を停止する。
【００６１】
保存部２１２は、複数のディスプレイ１４ａ〜１４ｃのそれぞれに表示されている画像を保存する。また、保存部２１２は、ディスプレイ１４全体の画像を保存してもよいし、ユーザにより選択されているウインドウであって現在作業中のウインドウの画像を保存してもよい。ここで、選択されているウインドウは、アクティブ化されているウインドウともいう。
【００６２】
再生制御部２１０は、ユーザが表示ボタン５６を押下して行う再生指示をＵＩ部２０２を介して受け付け、画像記憶部２１４に記憶されている複数の作業及び当該作業の属性（例えば最初の画像が保存された日時）を参照して、作業一覧をディスプレイ１４に表示する。また、再生制御部２１０は、作業一覧からユーザにより選択された作業を受け付けて、当該作業を再生するように後述する表示部２０６を制御する。このとき、再生制御部２１０は、設定記憶部２１８に記憶されている表示時間、ステップ数等、再生に関する項目を参照して、現在の設定値を表示部２０６に対して出力する。
【００６３】
表示部２０６は、ユーザが指定ボタン４２を押下して行う対象の指定をＵＩ部２０２を介して受け付けて、情報記憶部２０８に記憶されているＵＲＬやパスなどを参照して、指定された対象をディスプレイ１４に表示する。表示対象は、例えば、業務を実行するためのアプリケーションソフト（表計算ソフト、文書作成ソフト、遠隔会議用ソフト等）のウインドウ表示、Ｗｅｂページの表示等を含む。ここで、Ｗｅｂページ等の最新ファイルのファイル実体が情報記憶部２０８に記憶されている場合、表示部２０６は、情報記憶部２０８に記憶されているファイル実体をディスプレイ１４に表示してもよい。
【００６４】
また、表示部２０６は、再生対象の作業、再生時の設定値（表示時間、ステップ数等）を再生制御部２１０から受け付け、画像記憶部２１４に記憶されている再生対象作業の複数の画像を設定値に基づいて所定の期間毎にディスプレイ１４ａ〜１４ｃの少なくともいずれかに表示して、当該作業の再生処理を行う。ここで、表示部２０６は、表示ボタン５６が押下されてから再生制御部２１０の制御により画像の表示を開始する。
【００６５】
設定値更新部２１６は、設定記憶部２１８に記憶されている設定値を登録、更新及び削除する。設定値更新部２１６は、ユーザによる時間ボタン４８の押下をＵＩ部２０２を介して受け付け、更新画面（図８）をディスプレイ１４に表示し、この更新画面に入力された値を設定記憶部２１８に保存する。
また、設定値更新部２１６は、ユーザが抽出ボタン５０を押下して行うステップ数の入力を受け付けて、入力されたステップ数を設定記憶部２１８に保存する。
【００６６】
さらに、設定値更新部２１６は、作業の再生処理の間に、ユーザによる速くボタン４４並びに遅くボタン４６の押下を受け付け、設定値更新部２１６に記憶されている表示時間を更新する。
なお、設定値更新処理が再生処理の間に行われた場合、更新された値は、再生制御部２１０及び表示部２０６により行われる再生処理にその都度反映される。また、設定内容の登録、更新及び削除は、設定値更新部２１６により任意の契機で行われてよく、本例に限定されない。
【００６７】
図１０は、多層ワーク支援装置の画像保存処理（Ｓ１０）を示すフローチャートである。
図１０に示すように、ステップ１００（Ｓ１００）において、再生プログラム２００（図９）の保存部２１２は、情報アクセス装置１６の取込ボタン５２がユーザにより押下されたか否かを判断する。取込ボタン５２が押下された場合には、保存部２１２はＳ１０２の処理に進み、そうでない場合にはＳ１００の処理に戻る。
【００６８】
ステップ１０２（Ｓ１０２）において、保存部２１２は、設定記憶部２１８に記憶されている設定値を参照する。より具体的には、保存部２１２は、予め設定されている画像の取込間隔を参照する。
ステップ１０４（Ｓ１０４）において、保存部２１２は、作業画像を取込間隔毎に画像記憶部２１４に保存する。
【００６９】
ステップ１０６（Ｓ１０６）において、情報アクセス装置１６の停止ボタン５４がユーザにより押下されたか否かを判断する。停止ボタン５４が押下された場合には、再生プログラム２００は処理を終了し、そうでない場合にはＳ１０４の処理に戻って作業画像の取り込みを行う。
【００７０】
このようにして、多層ワーク支援装置１０は、ユーザによる作業画像を所定の時間毎に画像記憶部２１４保存する。また、作業は複数の画像として保存されて、これらの複数の画像は、作業の再生処理に用いられる。
【００７１】
図１１は、多層ワーク支援装置の画像再生処理（Ｓ２０）を示すフローチャートである。
図１１に示すように、ステップ２００（Ｓ２００）において、再生プログラム２００の再生制御部２１０は、情報アクセス装置１６の表示ボタン５６がユーザにより押下されたか否かを判断する。表示ボタン５６が押下された場合には、再生制御部２１０はＳ２０２の処理に進み、そうでない場合にはＳ２００の処理に戻る。
【００７２】
ステップ２０２（Ｓ２０２）において、再生制御部２１０は、画像記憶部２１４に記憶されている複数の作業及びその属性を参照する。
ステップ２０４（Ｓ２０４）において、再生制御部２１０は、参照した複数の作業に基づいて、作業一覧をディスプレイ１４に表示する。
【００７３】
ステップ２０６（Ｓ２０６）において、再生制御部２１０は、ユーザにより選択された再生対象の作業をＵＩ部２０２を介して受け付ける。
ステップ２０８（Ｓ２０８）において、再生制御部２１０は、設定記憶部２１８に記憶されている再生に関する設定値（表示時間等）を参照し、再生対象の作業及び設定値を表示部２０６に対して出力する。
【００７４】
ステップ２１０（Ｓ２１０）において、表示部２０６は、画像記憶部２１４に記憶されている再生対象作業についての複数の画像を、再生制御部２１０から受け付けた表示時間及びステップ数に基づいて順次表示して、作業の再生を行う。
ここで、ユーザが、速くボタン４４、遅くボタン４６又は抽出ボタン５０を押下して再生方法を変更した場合、設定値更新部２１６は、ＵＩ部２０２を介してこれらの入力を受け付け、設定記憶部２１８に記憶されている設定値を、受け付けられた入力に基づいて更新する。更新結果は、再生制御部２１０及び表示部２０６により行われる再生処理に反映され、再生処理は、ユーザにより指定された再生方法で行われる。
【００７５】
以上説明したように、本発明に係る多層ワーク支援装置１０は、複数のディスプレイ１４ａ〜１４ｃと、複数のディスプレイ１４ａ〜１４ｃに表示される画像を記憶する画像記憶部２１４と、複数のディスプレイ１４ａ〜１４ｃの少なくともいずれかに表示されている画像を所定の時間毎に画像記憶部２１４に保存する保存部２１２とを有する。また、多層ワーク支援装置１０は、画像記憶部２１４に記憶されている複数の画像を所定の時間毎に複数のディスプレイ１４ａ〜１４ｃの少なくともいずれかに表示する表示部２０６を有する。これにより、ユーザは作業工程を振り返ることができ、多層ワーク支援装置１０は、ユーザの円滑な業務遂行を支援することができる。
【００７６】
また、多層ワーク支援装置１０は、画像の保存開始を指定する取込ボタン５２（保存開始ボタン）をさらに有し、取込ボタン５２が押下されてから画像の保存を開始する。さらに、多層ワーク支援装置１０は、画像の再生開始を指定する表示ボタン５６（再生開始ボタン）をさらに有し、表示ボタン５６が押下されてから画像の表示を開始する。これにより、ユーザは、より簡易に作業工程を振り返ることができる。
【００７７】
なお、多層ワーク支援装置１０は、再生対象の作業ではなく、再生対象の日時を受け付けてもよい。この場合、多層ワーク支援装置１０は、受け付けられた日時に保存された全ての作業を再生する。これにより、ユーザは、所定の日時における複数の作業を同時に振り返ることができる。
【００７８】
次に、本発明の第２の実施形態に係る多層ワーク支援装置１０を説明する。
図１２は、本実施形態において表示ボタン５６が押下されて表示される作業一覧を例示する図である。
図１２に例示するように、本実施形態に係る多層ワーク支援装置１０は、表示ボタン５６が押下された場合、指定ボタン４２−１〜４２−ｍそれぞれが、保存されている作業のいずれかを指定するモードに移行する点で、第１の実施形態に係る多層ワーク支援装置１０とは異なる。
【００７９】
本実施形態においては、表示ボタン５６が押下されると、指定ボタン４２の文字列は、再生プログラム２００の画像記憶部２１４に保存されている作業名に変更される。このモードでは、指定ボタン４２が押下されると、当該指定ボタン４２が指定する作業の再生が開始される。例えば、指定ボタン４２−１が押下されると作業「Ａ説明会資料」が再生され、指定ボタン４２−２が押下されると作業「Ｂ技術調査検索」が再生される。従って、表示ボタン５６が押下されると、指定ボタン４２は、画像の再生開始を指定する再生開始ボタンとして機能する。なお、このモードで、表示ボタン５６が再度押下されると、指定ボタン４２−１〜４２−ｍそれぞれは、ディスプレイ１４に表示される対象を指定するモードに復帰する。
【００８０】
再生プログラム２００において、再生制御部２１０は、ユーザによる表示ボタン５６の押下を受け付け、画像記憶部２１４に記憶されている複数の作業及び当該作業の作業名を参照して、複数の作業のそれぞれを指定ボタン４２に割り当てる。また、再生制御部２１０は、指定ボタン４２に表示される文字列を変更するように表示部２０６を制御する。さらに、再生制御部２１０は、ユーザがいずれかの指定ボタン４２を押下して行う再生指示を受け付け、押下された指定ボタン４２に割り当てられた作業を再生するように表示部２０６を制御する。
【００８１】
このようにして、本実施形態に係る多層ワーク支援装置１０は、再生されうる複数の作業のそれぞれを指定ボタン４２に割り当てて、これらの指定ボタン４２を介したユーザによる再生指示を受け付ける。これにより、ユーザは、より簡単な操作で作業の再生処理を指示することができる。
【００８２】
次に、本発明の第３の実施形態に係る多層ワーク支援装置１０を説明する。
図１３は、本実施形態における作業の再生開始を説明する図である。
図１３に示すように、本実施形態に係る多層ワーク支援装置１０は、再生対象の作業に関する複数の画像のそれぞれを指定ボタン４２に割り当て、当該指定ボタン４２により指定された再生範囲で再生処理を行う点で、第１の実施形態に係る多層ワーク支援装置１０とは異なる。
【００８３】
本実施形態においては、ユーザが再生対象の作業一覧（図７）から作業を指定すると、当該作業に関する複数の画像のそれぞれが指定ボタン４２に割り当てられる。例えば、作業が、２００５年１０月７日１３時０１分から１３時３１分までの３０分の作業であって１分ごとに画面を保存された作業である場合、当該作業が選択されると、図１３に示すように、情報アクセス装置１６ｂの３０個の指定ボタン４２それぞれに画像が割り当てられる。
【００８４】
ユーザは、これらの指定ボタン４２のうち２つのボタンを押下し、再生処理の開始画像及び終了画像を指定することにより、再生範囲を指定することができる。例えば、ユーザが図中のＥボタン及びＦボタンを押下した場合、再生範囲は、１３時０３分から１３時２９分までの範囲に指定される。
【００８５】
再生プログラム２００において、再生制御部２１０は、作業一覧等からユーザにより選択された再生対象の作業を受け付けると、画像記憶部２１４に記憶されている、当該作業に関する複数の画像を参照して、これらの複数の画像のそれぞれを指定ボタン４２に割り当てる。また、再生制御部２１０は、指定ボタン４２に表示される文字列を画像名（例えば画像のファイル名）に変更するように表示部２０６を制御する。さらに、再生制御部２１０は、ユーザがいずれかの指定ボタン４２を押下して行う再生指示を受け付け、押下された指定ボタン４２に割り当てられた画像に基づいて、再生処理の開始時点及び終了時点を算出し、算出された再生範囲で作業を再生するように表示部２０６を制御する。
【００８６】
なお、ユーザは、１つのボタンのみを指定してもよい。この場合、指定された画像は、再生処理の開始画像となる。
また、多層ワーク支援装置１０は、作業の保存処理が実行されている間、保存された画像を、指定ボタン４２に逐次割り当ててもよい。この場合、ユーザは、保存処理において停止ボタン５４を押下する前に、画像を割り当てられた指定ボタン４２を押下することにより、当該指定ボタン４２に割り当てられた画像を開始画像として当該作業の再生処理の開始を指定することができる。
【００８７】
次に、本発明の第４の実施形態に係る多層ワーク支援装置１０を説明する。
本実施形態に係る多層ワーク支援装置１０は、複数のディスプレイ１４ａ〜１４ｃのそれぞれに対応する振返ボタンを有し、取込ボタン５２が押下された後、複数のディスプレイ１４ａ〜１４ｃにおける作業画像のそれぞれを保存するとともに指定ボタン４２に割り当てる点で、第１の実施形態に係る多層ワーク支援装置１０とは異なる。
図１４は、本実施形態に係る多層ワーク支援装置１０の情報アクセス装置１６に表示される指定ボタン４２を例示する図である。
図１４に例示するように、情報アクセス装置１６ｂには、複数のディスプレイ１４ａ〜１４ｃのそれぞれに対応する領域Ｓ，Ｔ，Ｕ、及びディスプレイ１４ａ〜１４ｃそれぞれに対応する振返りボタン（図中のＸ，Ｙ，Ｚ）が設けられている。
【００８８】
領域Ｓは、ディスプレイ１４ａの作業画面に対応する領域である。ディスプレイ１４ａの画像が保存される毎に、保存された複数が、領域Ｓ内の指定ボタン４２に割り当てられる。また、領域Ｓには、振返ボタンＸが設けられており、この振返ボタンＸはディスプレイ１４ａに対応する。この振返ボタンＸが押下されると、ディスプレイ１４ａにおいて現在実行中の作業が再生される。
【００８９】
ユーザが、領域Ｓ内に含まれる指定ボタン４２であって保存された画像が割り当てられている指定ボタン４２のいずれかを押下すると、ディスプレイ１４ａにおいて当該ディスプレイ１４ａの再生処理が開始される。ここで、再生開始場所は、押下された指定ボタン４２に割り当てられている画像である。従って、ユーザは、ディスプレイ１４ａについて任意の時点から現在まで作業を再生して確認することができる。
【００９０】
領域Ｔは、ディスプレイ１４ｃの作業画面に対応する領域である。領域Ｔには、領域Ｓと同様にして、ディスプレイ１４ｃの画像が割り当てられる複数の指定ボタン４２と、ディスプレイ１４ｃの作業を再生する振返ボタンＹが設けられている。
また、領域Ｕは、ディスプレイ１４ｂの作業画面に対応する領域である。領域Ｕには、領域Ｓと同様にして、ディスプレイ１４ｂの画像が割り当てられる複数の指定ボタン４２と、ディスプレイ１４ｂの作業を再生する振返ボタンＺが設けられている。
【００９１】
ユーザは、３つのディスプレイ１４ａ〜１４ｃを用いながら多重ワークをする場合、例えば、ディスプレイ１４ａで２０分作業し、次にディスプレイ１４ｃに移行して１０分作業し、さらにディスプレイ１４ｂに移行して３０分作業した後、再びディスプレイ１４ａで作業をすることがある。このとき、ユーザは、振返ボタンＸを押下することにより、ディスプレイ１４ａにおける作業一時中断前の１０分間の作業を再生して確認してから、作業を再開することができる。又は、ユーザは、領域Ｓに含まれる任意の指定ボタン４２を押下することにより、その時点から一時中断時までの作業を再生することができる。
【図面の簡単な説明】
【００９２】
【図１】本発明の実施形態に係る多層ワーク支援装置１０を示す図である。
【図２】多層ワーク支援装置１０において用いられるコンピュータのハードウェア構成を示す図である。
【図３】情報アクセス装置１６に表示されるボタン群と、ディスプレイ１４に表示されるウインドウ１４０−１，１４０−２を例示する図である。
【図４】多層ワーク支援装置１０における作業の保存方法を説明する図である。
【図５】保存された複数の画像データの管理方法を説明する図である。
【図６】多層ワーク支援装置１０が保有する設定値を例示する図である。
【図７】表示ボタン５６が押下されて表示された作業一覧を例示する。
【図８】時間ボタン４８が押下されて表示時間が設定変更される場合を説明する図である。
【図９】多層ワーク支援装置１０の制御装置１００（図２）により実行される再生プログラム２００の構成を示す図である。
【図１０】多層ワーク支援装置の画像保存処理（Ｓ１０）を示すフローチャートである。
【図１１】多層ワーク支援装置の画像再生処理（Ｓ２０）を示すフローチャートである。
【図１２】本発明の第２の実施形態に係る多層ワーク支援装置１０において、表示ボタン５６が押下されて表示される作業一覧を例示する図である。
【図１３】本発明の第３の実施形態に係る多層ワーク支援装置１０における作業の再生開始を説明する図である。
【図１４】本発明の第４の実施形態に係る多層ワーク支援装置１０の情報アクセス装置１６に表示される指定ボタン４２を例示する図である。
【符号の説明】
【００９３】
１０ 多層ワーク支援装置
１２ 装置本体
１４ ディスプレイ
１６ 情報アクセス装置
１８ ボタン
４２ 指定ボタン
４４ 速くボタン
４６ 遅くボタン
４８ 時間ボタン
５０ 抽出ボタン
５２ 取込ボタン
５４ 停止ボタン
５６ 表示ボタン
５８ 振返ボタン
１００ 制御装置
１０２ 処理装置
１０４ ＣＰＵ
１０６ メモリ
１１０ 記憶装置
１１２ 中継装置
２００ 再生プログラム
２０２ ＵＩ部
２０４ 通信部
２０６ 表示部
２０８ 情報記憶部
２１０ 再生制御部
２１２ 保存部
２１４ 画像記憶部
２１６ 設定値更新部
２１８ 設定記憶部
【図１】
2007141027.tif 000003
【図２】
2007141027.tif 000004
【図３】
2007141027.tif 000005
【図４】
2007141027.tif 000006
【図５】
2007141027.tif 000007
【図６】
2007141027.tif 000008
【図７】
2007141027.tif 000009
【図８】
2007141027.tif 000010
【図９】
2007141027.tif 000011
【図１０】
2007141027.tif 000012
【図１１】
2007141027.tif 000013
【図１２】
2007141027.tif 000014
【図１３】
2007141027.tif 000015
【図１４】
2007141027.tif 000016